(57)【要約】【課題】ある操作者が受入口により入金貨幣を装置内に受け入れ、この装置内に受け入れられた貨幣が一時保留部に一時的に保留された後に、貨幣の返却権限のない操作者により返却指示が行われ、この操作者が装置外に返却された貨幣を持ち去ってしまうことを防止することができる貨幣入金処理装置を提供する。【解決手段】貨幣入金処理装置１０には、一時保留部４５、６７に一時的に保留された貨幣についての収納指示または返却指示を受け付けるとともに、操作者の認証処理を受け付ける操作部８８が設けられている。操作部８８に返却指示が入力された際に、操作部８８により操作者が貨幣の返却権限を有するか否かの認証処理を行い、この操作者が貨幣の返却権限を有することが認証された場合のみ、返却部１７、２１により一時保留部４５、６７に一時的に保留された貨幣を装置外へ返却する。【選択図】図１
2010272061.tif 000002
【特許請求の範囲】
【請求項１】
貨幣の入金処理を行う貨幣入金処理装置であって、
入金貨幣を装置内に受け入れる受入口と、
前記受入口により装置内に受け入れられた貨幣を識別する識別部と、
前記識別部で正常な貨幣であると識別された貨幣を一時的に保留する一時保留部と、
前記一時保留部に一時的に保留された貨幣を収納する収納部と、
前記一時保留部に一時的に保留された貨幣を装置外へ返却する返却部と、
少なくとも前記受入口、前記識別部、前記一時保留部の間で貨幣を搬送する搬送部と、
前記一時保留部に一時的に保留された貨幣についての収納指示または返却指示を受け付けるとともに、操作者の認証処理を受け付ける操作部と、
前記操作部に前記返却指示が入力された際に、前記操作部により操作者が貨幣の返却権限を有するか否かの認証処理を行い、この操作者が貨幣の返却権限を有することが認証された場合のみ前記返却部により前記一時保留部に一時的に保留された貨幣を装置外へ返却するよう前記返却部の制御を行う制御部と、
を備えたことを特徴とする貨幣入金処理装置。
【請求項２】
前記制御部は、前記認証処理を行う際に、前記返却指示を前記操作部に入力した操作者が、前記受入口により入金貨幣を装置内に受け入れさせた入金者であるか否かの確認を行い、前記返却指示を前記操作部に入力した操作者が入金者であることが確認された場合に、この操作者が貨幣の返却権限を有することを認証することを特徴とする請求項１記載の貨幣入金処理装置。
【請求項３】
前記制御部は、前記認証処理を行う際に、前記返却指示を前記操作部に入力した操作者が、前記貨幣入金処理装置の管理を行う管理者であるか否かの確認を行い、前記返却指示を前記操作部に入力した操作者が管理者であることが確認された場合に、この操作者が貨幣の返却権限を有することを認証することを特徴とする請求項１または２記載の貨幣入金処理装置。
【請求項４】
前記操作部は、操作者が保持する情報記録媒体に記録された操作者の権限に係る情報の読み取りを行う読み取り機構を有し、
前記制御部は、前記読み取り機構により読み取られた操作者の権限に係る情報に基づいて前記認証処理を行うことを特徴とする請求項１乃至３のいずれか一項に記載の貨幣入金処理装置。
【請求項５】
前記読み取り機構により前記情報記録媒体が保持されている状態のときに、前記制御部は、前記読み取り機構により読み取られた操作者の権限に係る情報に基づいて前記認証処理を行うことを特徴とする請求項４記載の貨幣入金処理装置。
【請求項６】
前記制御部において、前記認証処理を行うか否かを選択的に設定することができるようになっており、前記制御部は、前記認証処理を行うことが設定された場合のみにおいて、前記返却指示を前記操作部に入力した操作者が貨幣の返却権限を有するか否かの認証処理を行うことを特徴とする請求項１乃至５のいずれか一項に記載の貨幣入金処理装置。
【請求項７】
前記制御部において、前記認証処理を行うことが設定されており、かつ、前記返却指示を前記操作部に入力した操作者が貨幣の返却権限を有していない場合に、前記一時保留部に一時的に保留された貨幣を前記収納部に自動的に収納することを選択的に設定することができるようになっており、
前記制御部は、前記一時保留部に一時的に保留された貨幣を前記収納部に自動的に収納することが設定された場合のみにおいて、前記一時保留部に一時的に保留された貨幣を前記収納部に収納するよう前記収納部の制御を行うことを特徴とする請求項６記載の貨幣入金処理装置。
【発明の詳細な説明】
【技術分野】
【０００１】
本発明は、紙幣や硬貨等の貨幣の入金処理を行う貨幣入金処理装置に関し、とりわけ、入金貨幣を一時保留部に一時的に保留するとともに、所定の返却処理により一時保留部に一時的に保留された貨幣を装置外に返却することができる貨幣入金処理装置に関する。
【背景技術】
【０００２】
従来から、例えば特許文献１等に示すように、紙幣や硬貨等の貨幣の入金を行う様々な貨幣入金処理装置が知られている。このような貨幣入金処理装置においては、操作者が受入口により入金貨幣を装置内に受け入れると、装置内に受け入れられた貨幣は一時保留部に一時的に保留されるようになっている。その後、操作者が操作部により収納指示を行うと、一時保留部に一時的に保留された貨幣は装置内にある収納部に送られ、この収納部に収納される。一方、操作者が操作部により返却指示を行うと、一時保留部に一時的に保留された貨幣は返却部より装置外に返却される。
【先行技術文献】
【特許文献】
【０００３】
【特許文献１】特開２００３−２８１５９７号公報
【発明の概要】
【発明が解決しようとする課題】
【０００４】
特許文献１に示すような従来の貨幣入金処理装置においては、操作者が受入口により入金貨幣を装置内に受け入れ、この装置内に受け入れられた貨幣が一時保留部に一時的に保留された後、収納指示や返却指示等を行うことを操作者が忘れてしまう場合がある。この場合、装置内への貨幣の受け入れを行った操作者が貨幣入金処理装置から離れた後、別の操作者が貨幣入金処理装置の前に立ち、この操作者が返却指示を行うと、一時保留部に一時的に保留された貨幣は返却部より筐体の外部に返却され、この返却された貨幣が入金者とは別の操作者により持ち去られてしまうおそれがある。
【０００５】
本発明は、このような点を考慮してなされたものであり、ある操作者が受入口により入金貨幣を装置内に受け入れ、この装置内に受け入れられた貨幣が一時保留部に一時的に保留された後に、貨幣の返却権限のない操作者により返却指示が行われ、この操作者が装置外に返却された貨幣を持ち去ってしまうことを防止することができる貨幣入金処理装置を提供することを目的とする。
【課題を解決するための手段】
【０００６】
本発明の貨幣入金処理装置は、貨幣の入金処理を行う貨幣入金処理装置であって、入金貨幣を装置内に受け入れる受入口と、前記受入口により装置内に受け入れられた貨幣を識別する識別部と、前記識別部で正常な貨幣であると識別された貨幣を一時的に保留する一時保留部と、前記一時保留部に一時的に保留された貨幣を収納する収納部と、前記一時保留部に一時的に保留された貨幣を装置外へ返却する返却部と、少なくとも前記受入口、前記識別部、前記一時保留部の間で貨幣を搬送する搬送部と、前記一時保留部に一時的に保留された貨幣についての収納指示または返却指示を受け付けるとともに、操作者の認証処理を受け付ける操作部と、前記操作部に前記返却指示が入力された際に、前記操作部により操作者が貨幣の返却権限を有するか否かの認証処理を行い、この操作者が貨幣の返却権限を有することが認証された場合のみ前記返却部により前記一時保留部に一時的に保留された貨幣を装置外へ返却するよう前記返却部の制御を行う制御部と、を備えたことを特徴とする。
【０００７】
このような貨幣入金処理装置によれば、操作者が貨幣の返却権限を有する場合のみにおいて、一時保留部に一時的に保留された貨幣を装置外に返却することができるようになる。このため、ある操作者が受入口により入金貨幣を装置内に受け入れ、この装置内に受け入れられた貨幣が一時保留部に一時的に保留された後に、貨幣の返却権限のない操作者により返却指示が行われ、この操作者が装置外に返却された貨幣を持ち去ってしまうことを防止することができる。
【０００８】
本発明の貨幣入金処理装置においては、前記制御部は、前記認証処理を行う際に、前記返却指示を前記操作部に入力した操作者が、前記受入口により入金貨幣を装置内に受け入れさせた入金者であるか否かの確認を行い、前記返却指示を前記操作部に入力した操作者が入金者であることが確認された場合に、この操作者が貨幣の返却権限を有することを認証するようになっていてもよい。
【０００９】
また、本発明の貨幣入金処理装置においては、前記制御部は、前記認証処理を行う際に、前記返却指示を前記操作部に入力した操作者が、前記貨幣入金処理装置の管理を行う管理者であるか否かの確認を行い、前記返却指示を前記操作部に入力した操作者が管理者であることが確認された場合に、この操作者が貨幣の返却権限を有することを認証するようになっていてもよい。
【００１０】
本発明の貨幣入金処理装置においては、前記操作部は、操作者が保持する情報記録媒体に記録された操作者の権限に係る情報の読み取りを行う読み取り機構を有し、前記制御部は、前記読み取り機構により読み取られた操作者の権限に係る情報に基づいて前記認証処理を行うようになっていてもよい。
【００１１】
この場合、前記読み取り機構により前記情報記録媒体が保持されている状態のときに、前記制御部は、前記読み取り機構により読み取られた操作者の権限に係る情報に基づいて前記認証処理を行うようになっていてもよい。
【００１２】
本発明の貨幣入金処理装置においては、前記制御部において、前記認証処理を行うか否かを選択的に設定することができるようになっており、前記制御部は、前記認証処理を行うことが設定された場合のみにおいて、前記返却指示を前記操作部に入力した操作者が貨幣の返却権限を有するか否かの認証処理を行うようになっていてもよい。
【００１３】
この際に、前記制御部において、前記認証処理を行うことが設定されており、かつ、前記返却指示を前記操作部に入力した操作者が貨幣の返却権限を有していない場合に、前記一時保留部に一時的に保留された貨幣を前記収納部に自動的に収納することを選択的に設定することができるようになっており、前記制御部は、前記一時保留部に一時的に保留された貨幣を前記収納部に自動的に収納することが設定された場合のみにおいて、前記一時保留部に一時的に保留された貨幣を前記収納部に収納するよう前記収納部の制御を行うようになっていてもよい。
【発明の効果】
【００１４】
本発明の貨幣入金処理装置によれば、ある操作者が受入口により入金貨幣を装置内に受け入れ、この装置内に受け入れられた貨幣が一時保留部に一時的に保留された後に、貨幣の返却権限のない操作者により返却指示が行われ、この操作者が装置外に返却された貨幣を持ち去ってしまうことを防止することができる。
【図面の簡単な説明】
【００１５】
【図１】本発明の実施の形態による貨幣入金処理装置の全体構成を示す斜視図である。
【図２】図１に示す貨幣入金処理装置における紙幣処理部の構成の概略を示す側面図である。
【図３】図１に示す貨幣入金処理装置における硬貨処理部の構成の概略を示す側面図である。
【図４】図１に示す貨幣入金処理装置における制御ブロック図である。
【図５】本実施の形態による貨幣入金処理装置の特徴的な動作を説明するためのフローチャートである。
【図６】図５のフローチャートに示すような動作が行われる際のタッチパネルにおける表示内容を示す図である。
【図７】図５のフローチャートに示すような動作が行われる際のタッチパネルにおける表示内容を示す図である。
【発明を実施するための形態】
【００１６】
以下、図面を参照して本発明の一の実施の形態について説明する。図１乃至図７は、本実施の形態に係る貨幣入金処理装置を示す図である。このうち、図１は、本発明の実施の形態による貨幣入金処理装置の全体構成を示す斜視図であり、図２および図３は、それぞれ、図１に示す貨幣入金処理装置における紙幣処理部および硬貨処理部の構成の概略を示す側面図である。また、図４は、図１に示す貨幣入金処理装置における制御ブロック図である。
【００１７】
また、図５は、本実施の形態による貨幣入金処理装置の特徴的な動作を説明するためのフローチャートであり、図６および図７は、図５のフローチャートに示すような動作が行われる際のタッチパネルにおける表示内容を示す図である。
【００１８】
まず、図１乃至図３を用いて、貨幣入金処理装置１０の全体構成について説明する。図１乃至図３に示すように、貨幣入金処理装置１０は筐体１１を有している。そして、貨幣入金処理装置１０を前面から見て筐体１１の右側域には紙幣を処理するための紙幣処理部１２が配設されている。また、貨幣入金処理装置１０を前面から見て筐体１１の左側域には硬貨を処理するための硬貨処理部１３が配設されている。また、図１等に示すように、貨幣入金処理装置１０の筐体１１の下部には、紙幣や硬貨を収納するための収納部２５が設けられている。
【００１９】
まず、紙幣処理部１２の具体的な構成について図１および図２を用いて説明する。紙幣処理部１２は、入金する紙幣を紙幣の長手方向から複数枚一括して受け入れ可能とする入金口としての紙幣受入口１５、受け入れた紙幣のうち不適正であったり識別不能であったりする紙幣等のリジェクト紙幣を返却する紙幣リジェクト口１６、受け入れた紙幣を収納する前に入金がキャンセルされた場合に受け入れた紙幣を返却する紙幣返却口１７をそれぞれ有し、これらの紙幣受入口１５、紙幣リジェクト口１６、紙幣返却口１７が筐体１１の前面上部の右側域に上から順に配設されている。
【００２０】
また、図２に示すように、紙幣処理部１２には、紙幣受入口１５に複数枚一括して挿入される紙幣を一括して受け入れるとともに後方へ向けて（図２の右方向へ向けて）１枚ずつ紙幣を繰り出す紙幣繰出部４１、この紙幣繰出部４１から１枚ずつ繰り出される紙幣を受け入れて搬送する紙幣搬送部４２、この紙幣搬送部４２により搬送される紙幣の金種、真偽、正損等の識別を行う紙幣識別部４３がそれぞれ設けられている。また、紙幣リジェクト口１６の後側（図２における右側）には、紙幣搬送部４２から分岐されて送り込まれるリジェクト紙幣を収納するとともに紙幣リジェクト口１６からリジェクト紙幣を取り出し可能とする紙幣リジェクト部４４が配設されている。また、紙幣返却口１７の後側（図２における右側）には、紙幣搬送部４２から送り込まれる正規の紙幣を一時的に保留し、紙幣の収納時には紙幣を下方の収納部２５側に移動させるとともに返却時には紙幣返却口１７から紙幣を取り出し可能とする紙幣一時保留部４５が配設されている。また、収納部２５内には、当該収納部２５に対して着脱自在に配設され、紙幣を収納する紙幣収納部として機能する紙幣収納カセット２６が設けられている。さらに、紙幣の収納時に、紙幣一時保留部４５に一時的に保留されている紙幣を紙幣収納カセット２６に収納させる収納手段４７が設けられている。
【００２１】
紙幣繰出部４１は、紙幣受入口１５から複数枚一括して挿入される紙幣を挟持して紙幣繰出部４１内に取り込む一対の取込ローラ４８、および紙幣繰出部４１内に取り込んだ紙幣を紙幣搬送部４２に向けて繰り出す繰出ベルト４９を有している。また、紙幣繰出部４１には、繰出ベルト４９に対向して逆転し、繰出ベルト４９で繰り出される紙幣を１枚ずつに規制する逆転ローラ５０が設けられている。
【００２２】
次に、硬貨処理部１３の具体的な構成について図１および図３を用いて説明する。硬貨処理部１３は、入金する硬貨を受け入れる入金口としての硬貨受入口１９、受け入れた硬貨のうち不適正であったり識別不能であったりする硬貨等のリジェクト硬貨を返却する硬貨リジェクト口２０、受け入れた硬貨を収納する前に入金がキャンセルされた場合に受け入れた硬貨を返却する硬貨返却口２１をそれぞれ有し、これらの硬貨受入口１９、硬貨リジェクト口２０、硬貨返却口２１が筐体１１の前面上部の左側域に上から順に配設されている。
【００２３】
また、図３に示すように、硬貨処理部１３には、硬貨受入口１９に一括投入された硬貨を受け入れて１枚ずつ繰り出す硬貨繰出部６１、この硬貨繰出部６１から１枚ずつ繰り出される硬貨を受け入れて搬送する硬貨搬送部６２、この硬貨搬送部６２により搬送される硬貨の金種、真偽、正損等の識別を行う硬貨識別部６３がそれぞれ設けられている。また、硬貨処理部１３には、硬貨搬送部６２から分岐されてリジェクトシュート６４を通って送り込まれるリジェクト硬貨を収納するリジェクト部６５が設けられている。また、硬貨搬送部６２から送り出されて一時保留シュート６６を通って送り込まれる正規の硬貨を一時的に保留する硬貨一時保留部６７が設けられている。また、硬貨返却口２１に対して着脱自在となっており、硬貨の返却時に硬貨一時保留部６７から送り込まれる返却硬貨を受け入れて収納する返却箱６８が設けられている。さらに、収納部２５内には、当該収納部２５に対して着脱自在に配設され、硬貨の収納時に硬貨一時保留部６７から送り込まれる硬貨を受け入れて収納する硬貨収納部として機能する硬貨収納カセット２７が設けられている。
【００２４】
硬貨繰出部６１は、この硬貨繰出部６１の底部を構成して硬貨を前方に向けて（図３における左方向に向けて）繰り出す繰出ベルト７０、およびこの繰出ベルト７０に対向して逆転し繰出ベルト７０により繰り出される硬貨を１枚ずつに規制する逆転ローラ７１を有している。
【００２５】
また、図１に示すように、貨幣入金処理装置１０の筐体１１の上面にはタッチパネル８２および各種操作キー８４ａ〜８４ｄが設けられている。ここで、タッチパネル８２には貨幣入金処理装置１０による紙幣や硬貨の処理状況、より具体的には例えば入金紙幣や入金硬貨の金種毎の枚数や合計金額等の情報が表示されるようになっている。また、操作者がタッチパネル８２により後述する制御部８０に対して様々な指示を与えることができるようになっている。また、各種操作キー８４ａ〜８４ｄとして、スタートキー８４ａ、ストップキー８４ｂ、確定キー８４ｃおよび取消キー８４ｄがそれぞれ設けられている。
【００２６】
また、図１に示すように、貨幣入金処理装置１０の筐体１１の前面にはカードリーダ８６が設けられている。このカードリーダ８６は、操作者が携帯している磁気カードやＩＣカード等のＩＤカードのＩＤ情報を読み取るようになっている。そして、カードリーダ８６により読み取られた操作者のＩＤ情報に基づいて、操作者の操作権限の確認が行われるようになっている。ここで、タッチパネル８２、各種操作キー８４ａ〜８４ｄおよびカードリーダ８６により操作部８８が構成されている。
【００２７】
次に、貨幣入金処理装置１０における紙幣処理部１２や硬貨処理部１３の各構成要素の制御を行う制御部８０について図４を用いて説明する。制御部８０は貨幣入金処理装置１０の筐体１１内に設置されている。
【００２８】
図４に示すように、制御部８０には、紙幣処理部１２の各構成要素（例えば、紙幣繰出部４１、紙幣搬送部４２、紙幣識別部４３、紙幣リジェクト部４４、紙幣一時保留部４５、収納手段４７等）および硬貨処理部１３の各構成要素（例えば、硬貨繰出部６１、硬貨搬送部６２、硬貨識別部６３、硬貨一時保留部６７等）、タッチパネル８２、操作キー８４ａ〜８４ｄ、カードリーダ８６、インターフェース９０、プリンター９２等が接続されている。
【００２９】
制御部８０には、紙幣処理部１２の紙幣識別部４３による紙幣の金種等の識別結果の情報や、硬貨処理部１３の硬貨識別部６３による硬貨の金種等の識別結果の情報が送られるようになっている。また、制御部８０には、タッチパネル８２や各種操作キー８４ａ〜８４ｄ等の操作部８８により入力された情報が送られるようになっている。
【００３０】
また、制御部８０は、紙幣処理部１２や硬貨処理部１３の各構成要素を制御したり、タッチパネル８２の表示内容を制御したりするようになっている。また、制御部８０に接続されたインターフェース９０を介して、制御部８０は、貨幣入金処理装置１０とは別の装置である外部装置と様々な信号の送受信を行うことができるようになっている。また、制御部８０にはプリンター９２が接続されており、このプリンター９２により入金貨幣の計数結果等の印字を行うことができるようになっている。プリンター９２は貨幣入金処理装置１０の筐体１１とは別個に設けられていてもよく、あるいは筐体１１の表面に取り付けられていてもよい。
【００３１】
次に、このような構成からなる貨幣入金処理装置１０の動作、具体的には紙幣処理部１２における紙幣の入金処理および硬貨処理部１３における硬貨の入金処理について説明する。以下に示す貨幣入金処理装置１０の動作は、制御部８０が紙幣処理部１２や硬貨処理部１３の各構成要素を制御することにより行われる。
【００３２】
まず、紙幣処理部１２における紙幣の入金処理についてその基本的な動作を以下に説明する。操作者が複数枚の紙幣を一括して紙幣受入口１５に挿入すると、この挿入された紙幣は紙幣繰出部４１に一括して受け入れられる。そして、紙幣繰出部４１から紙幣搬送部４２に紙幣が１枚ずつ繰り出され、紙幣搬送部４２により紙幣が搬送される。紙幣識別部４３は、紙幣搬送部４２により搬送される紙幣の金種、真偽、正損等の識別を行う。ここで、紙幣識別部４３により不適正であると識別された紙幣や識別不能であった紙幣は、リジェクト紙幣として紙幣搬送部４２から紙幣リジェクト部４４に送られる。紙幣リジェクト部４４に送られた紙幣は、操作者が紙幣リジェクト口１６を介して筐体１１の外部に取り出すことができる。一方、紙幣識別部４３により適正であると識別された紙幣は、紙幣搬送部４２から紙幣一時保留部４５に送られ、この紙幣一時保留部４５で一時的に保留される。
【００３３】
紙幣受入口１５により筐体１１の内部に受け入れられた紙幣が紙幣一時保留部４５で一時的に保留されると、操作者は、タッチパネル８２や各種操作キー８４ａ〜８４ｄにより、紙幣一時保留部４５で一時的に保留された紙幣についての収納指示または返却指示を行う。操作者により収納指示がなされると、紙幣一時保留部４５で一時的に保留された紙幣は、収納手段４７により、この紙幣一時保留部４５の下方にある紙幣収納カセット２６に送られ、紙幣収納カセット２６に紙幣が収納される。一方、操作者により返却指示がなされると、紙幣返却口１７が開き、紙幣一時保留部４５で一時的に保留された紙幣は、操作者が筐体１１の外部から取り出し可能となり、筐体１１の外部に返却されることとなる。
【００３４】
次に、硬貨処理部１３における硬貨の入金処理についてその基本的な動作を以下に説明する。操作者が複数枚の硬貨を一括して硬貨受入口１９に投入すると、この投入された硬貨は硬貨繰出部６１に一括して受け入れられる。そして、硬貨繰出部６１から硬貨搬送部６２に硬貨が１枚ずつ繰り出され、硬貨搬送部６２により硬貨が搬送される。硬貨識別部６３は、硬貨搬送部６２により搬送される硬貨の金種、真偽、正損等の識別を行う。ここで、硬貨識別部６３により不適正であると識別された硬貨や識別不能であった硬貨は、リジェクト硬貨として硬貨搬送部６２から分岐されてリジェクトシュート６４を通ってリジェクト部６５に送られ、リジェクト硬貨はリジェクト部６５に収納される。リジェクト部６５に収納された硬貨は、操作者が硬貨リジェクト口２０を介して筐体１１の外部に取り出すことができる。一方、硬貨識別部６３により適正であると識別された硬貨は、硬貨搬送部６２から一時保留シュート６６を介して硬貨一時保留部６７に送られ、この硬貨一時保留部６７で一時的に保留される。
【００３５】
硬貨受入口１９により筐体１１の内部に受け入れられた硬貨が硬貨一時保留部６７で一時的に保留されると、操作者は、タッチパネル８２や各種操作キー８４ａ〜８４ｄにより、硬貨一時保留部６７で一時的に保留された硬貨についての収納指示または返却指示を行う。操作者により収納指示がなされると、硬貨一時保留部６７は図３に示すような状態から右方向に動き、その後硬貨収納カセット２７の真上の位置に到達すると硬貨一時保留部６７の底部が開くことにより、硬貨一時保留部６７で一時的に保留された硬貨は硬貨収納カセット２７に送られ、硬貨収納カセット２７に硬貨が収納される。一方、操作者により返却指示がなされると、硬貨一時保留部６７は図３に示すような状態から左方向に動き、その後返却箱６８の真上の位置に到達すると硬貨一時保留部６７の底部が開くことにより、硬貨一時保留部６７で一時的に保留された硬貨は返却箱６８に送られ、返却箱６８に硬貨が収納される。そして、返却箱６８のロック機構（図示せず）が解除され、返却箱６８に収納された硬貨は、操作者が筐体１１の外部から取り出し可能となり、筐体１１の外部に返却されることとなる。
【００３６】
次に、本実施の形態による貨幣入金処理装置１０の特徴的な動作について図５乃至図７を用いて説明する。ここで、図５は、本実施の形態による貨幣入金処理装置１０の特徴的な動作を説明するためのフローチャートであり、図６および図７は、図５のフローチャートに示すような動作が行われる際のタッチパネル８２における表示内容を示す図である。
【００３７】
本実施の形態においては、操作部８８に貨幣の返却指示が入力された際に、操作部８８のカードリーダ８６により操作者が貨幣の返却権限を有するか否かの認証処理を行い、この操作者が貨幣の返却権限を有することが認証された場合のみ紙幣一時保留部４５や硬貨一時保留部６７に一時的に保留された紙幣や硬貨を筐体１１の外部へ返却するようになっている。より詳細には、制御部８０は、上述のような認証処理を行う際に、返却指示を操作部８８に入力した操作者が、紙幣受入口１５や硬貨受入口１９により入金紙幣や入金硬貨を筐体１１の内部に受け入れさせた入金者であるか否かの確認を行い、返却指示を操作部８８に入力した操作者が入金者であることが確認された場合に、この操作者が貨幣の返却権限を有することを認証する。あるいは、制御部８０は、上述のような認証処理を行う際に、返却指示を操作部８８に入力した操作者が、貨幣入金処理装置１０の管理を行う管理者であるか否かの確認を行い、返却指示を操作部８８に入力した操作者が管理者であることが確認された場合に、この操作者が貨幣の返却権限を有することを認証する。
【００３８】
図５に示すようなフローチャートにより、本実施の形態による貨幣入金処理装置１０の特徴的な動作について以下に詳しく説明する。
【００３９】
貨幣入金処理装置１０が待機状態となっているときに、タッチパネル８２には、「モードを選択してください」という言葉とともに、計数ボタンおよび入金ボタンが表示されている。ここで、操作者が入金処理を行う際に、タッチパネル８２に表示された入金ボタンを押下すると（図５のＳＴＥＰ１参照）、制御部８０において、操作者が携帯するＩＤカードのＩＤ情報により入金者の情報の取得を行うことが予め設定されているか否かの判断が行われる（図５のＳＴＥＰ２参照）。より具体的に説明すると、制御部８０において、入金処理の開始時に、操作者が携帯するＩＤカードのＩＤ情報により入金者の情報の取得を行うか、あるいは操作者がレジ番号や操作者の認証番号を手入力することにより入金者の情報の取得を行うかのうちどちらの方法を用いるかが予め設定されている。そして、制御部８０において、入金処理の開始時に、操作者が携帯するＩＤカードのＩＤ情報により入金者の情報の取得を行うことが予め設定されている場合には（図５のＳＴＥＰ２の「ＹＥＳ」参照）、タッチパネル８２には図６（ａ）に示すような表示がなされ、操作者は、自分が携帯するＩＤカードをカードリーダ８６に通す（図５のＳＴＥＰ３参照）。なお、タッチパネル８２における図６（ａ）に示すような表示において、紙幣および硬貨の収納金額がそれぞれ表示されるようになっており、もし紙幣収納カセット２６や硬貨収納カセット２７がフル状態またはニアフル状態となっている場合にはこのことも表示されるようになっている。操作者が携帯するＩＤカードのＩＤ情報の確認がカードリーダ８６によりなされると（図５のＳＴＥＰ４の「ＹＥＳ」参照）、入金者の情報が取得され、この入金者の情報が制御部８０に送られる。
【００４０】
一方、制御部８０において、入金処理の開始時に、操作者がレジ番号や操作者の認証番号を手入力することにより入金者の情報の取得を行うことが予め設定されている場合には、（図５のＳＴＥＰ２の「ＮＯ」参照）、タッチパネル８２には図６（ｂ）に示すような表示がなされ、操作者はタッチパネル８２によりレジ番号や操作者の認証番号を手入力する（図５のＳＴＥＰ５参照）。このようにして入金者の情報が取得され、この入金者の情報が制御部８０に送られる。
【００４１】
入金者の情報が取得されると、タッチパネル８２には図６（ｃ）に示すような表示がなされる。具体的には、図６（ｃ）に示すように、タッチパネル８２には、入金者の情報として、操作者の認証番号およびレジ番号が表示される。この際に、操作者がタッチパネル８２に表示される手入力ボタンを押すと（図５のＳＴＥＰ６の「ＹＥＳ」参照）、タッチパネル８２には図６（ｄ）に示すような表示がなされる。そして、操作者は、紙幣処理部１２や硬貨処理部１３で処理されるべきバラ紙幣やバラ硬貨以外の品目である、棒金硬貨の本数や現金以外の受入品の金額をタッチパネル８２により手入力する（図５のＳＴＥＰ７参照）。なお、タッチパネル８２における図６（ｄ）に示すような表示では、１０円硬貨５０枚分の棒金硬貨の本数を手入力するようになっているが、タッチパネル８２の「次へ」のボタンや「前へ」のボタンを押すことにより、タッチパネル８２における表示が、他の金種の棒金硬貨の本数や、現金以外の受入品の金額を手入力する画面に切り替わる。また、図６（ｄ）に示すようなタッチパネルの画面において戻るボタンを押すことにより、棒金硬貨の本数や現金以外の受入品の金額をタッチパネル８２により手入力するモードが終了する。
【００４２】
また、タッチパネル８２に図６（ｃ）に示すような表示がなされているときに、操作者が紙幣を紙幣処理部１２の紙幣受入口１５に投入し、および／または硬貨を硬貨処理部１３の硬貨受入口１９に投入し（図５のＳＴＥＰ８の「ＹＥＳ」参照）、スタートキー８４ａを押すと、紙幣受入口１５や硬貨受入口１９により筐体１１の内部に紙幣や硬貨が受け入れられ、これらの紙幣や硬貨は紙幣識別部４３や硬貨識別部６３により金種等が識別され、紙幣一時保留部４５や硬貨一時保留部６７に送られる（図５のＳＴＥＰ９参照）。この際に、筐体１１の内部に受け入れられた紙幣や硬貨の計数が紙幣識別部４３や硬貨識別部６３により行われ、図６（ｅ）に示すように計数結果がタッチパネル８２に表示される。紙幣や硬貨の計数が終了すると、タッチパネル８２には図６（ｆ）に示すような表示がなされる。
【００４３】
タッチパネル８２に図６（ｆ）に示すような表示がなされているときに、操作者がタッチパネル８２に表示された詳細ボタンを押すと、紙幣や硬貨の計数結果の詳細、具体的には金種毎の枚数が表示される。また、タッチパネル８２に図６（ｆ）に示すような表示がなされているときに、操作者がタッチパネル８２に表示された手入力ボタンを押すと、図５のＳＴＥＰ７に示すような、棒金硬貨の本数や現金以外の受入品の金額の手入力を行うことができるようになる。また、タッチパネル８２に図６（ｆ）に示すような表示がなされているときに、操作者が更に紙幣を紙幣処理部１２の紙幣受入口１５に投入し、および／または硬貨を硬貨処理部１３の硬貨受入口１９に投入し、スタートキー８４ａを押すと（図５のＳＴＥＰ１０の「ＹＥＳ」参照）、図５のＳＴＥＰ８やＳＴＥＰ９に示すような、新たな入金紙幣や入金硬貨の計数を行うことができるようになる。
【００４４】
タッチパネル８２に図６（ｆ）に示すような表示がなされているときに、操作者が取消キー８４ｄを押すと（図５のＳＴＥＰ１１の「ＹＥＳ」参照）、紙幣一時保留部４５や硬貨一時保留部６７に一時的に保留された紙幣や硬貨の返却処理が行われる。このような返却処理の詳細については後述する。また、タッチパネル８２に図６（ｆ）に示すような表示がなされているときに、操作者が確定キー８４ｃを押すと（図５のＳＴＥＰ１２参照）、紙幣一時保留部４５や硬貨一時保留部６７に一時的に保留された紙幣や硬貨の収納処理が行われる。
【００４５】
紙幣や硬貨の収納処理が行われる際に、紙幣一時保留部４５や硬貨一時保留部６７から紙幣や硬貨が収納部２５の紙幣収納カセット２６や硬貨収納カセット２７に送られ、これらの紙幣収納カセット２６や硬貨収納カセット２７に紙幣や硬貨が収納される（図５のＳＴＥＰ１３参照）。また、このときに、紙幣収納カセット２６や硬貨収納カセット２７に収納された紙幣や硬貨の金額等が制御部８０により集計され（図５のＳＴＥＰ１４参照）、この集計結果がプリンター９２により印字される。上述のような貨幣の収納処理が終了すると、タッチパネル８２には図６（ｇ）に示すような「入金完了」の表示がなされ、貨幣入金処理装置１０は待機状態に戻る。
【００４６】
一方、紙幣一時保留部４５や硬貨一時保留部６７に紙幣や硬貨が一時的に保留されているときに、操作者が取消キー８４ｄを押した場合には（図５のＳＴＥＰ１１の「ＹＥＳ」参照）、制御部８０において、操作者の認証処理を行うことが予め設定されているか否かの判断が行われる（図５のＳＴＥＰ１５参照）。より具体的に説明すると、制御部８０においては、操作者の認証処理を行うか否かを選択的に設定することができるようになっており、このような設定は事前に行われている。
【００４７】
ここで、制御部８０において、操作者の認証処理を行うことが予め設定されている場合には（図５のＳＴＥＰ１５の「ＹＥＳ」参照）、タッチパネル８２には図６（ｈ）に示すような表示がなされ、操作者に対してＩＤカードをカードリーダ８６に通すことを要求する。そして、操作者が、自分が携帯するＩＤカードをカードリーダ８６に通すと（図５のＳＴＥＰ１６参照）、カードリーダ８６によりＩＤカードのＩＤ情報が取得され、この操作者が入金者または貨幣入金処理装置１０の管理者であるか否かの認証が行われる（図５のＳＴＥＰ１７参照）。取消キー８４ｄを押した操作者が貨幣の返却権限を有することが認証されると、具体的には例えば取消キー８４ｄを押した操作者が入金者または管理者と同一の人物であることが認証されると（図５のＳＴＥＰ１７の「ＹＥＳ」参照）、タッチパネル８２には図７（ｉ）に示すような表示がなされ、紙幣一時保留部４５や硬貨一時保留部６７に一時的に保留された紙幣や硬貨は、紙幣返却口１７や硬貨返却口２１を介して操作者が筐体１１の外部から取り出し可能となる（図５のＳＴＥＰ１８参照）。そして、操作者が返却貨幣を筐体１１の外部に取り出すと、貨幣の返却処理が終了し、タッチパネル８２には図６（ｃ）に示すような表示がなされる。一方、取消キー８４ｄを押した操作者が入金者または管理者と同一の人物ではないことが制御部８０において確認されると、タッチパネル８２には図７（ｊ）に示すような表示がなされるとともにエラー音が発せられ（図５のＳＴＥＰ１９参照）、紙幣一時保留部４５や硬貨一時保留部６７に一時的に保留された紙幣や硬貨は操作者に返却されない。
【００４８】
また、制御部８０において、操作者の認証処理を行うことが予め設定されていない場合には（図５のＳＴＥＰ１５の「ＮＯ」参照）、貨幣の返却処理が無条件で行われることとなり、タッチパネル８２には図７（ｉ）に示すような表示がなされ、紙幣一時保留部４５や硬貨一時保留部６７に一時的に保留された紙幣や硬貨は、紙幣返却口１７や硬貨返却口２１を介して操作者が筐体１１の外部から取り出し可能となる（図５のＳＴＥＰ１８参照）。
【００４９】
以上のように本実施の形態の貨幣入金処理装置１０によれば、紙幣一時保留部４５や硬貨一時保留部６７に一時的に保留された紙幣や硬貨についての収納指示または返却指示を受け付けるとともに、操作者の認証処理を受け付ける操作部８８が設けられている。そして、操作部８８に返却指示が入力された際に（図５のＳＴＥＰ１１の「ＹＥＳ」参照）、操作部８８により操作者が貨幣の返却権限を有するか否かの認証処理を行い（図５のＳＴＥＰ１６、ＳＴＥＰ１７参照）、この操作者が貨幣の返却権限を有することが認証された場合のみ（図５のＳＴＥＰ１７の「ＹＥＳ」参照）、紙幣返却口１７や硬貨返却口２１により紙幣一時保留部４５や硬貨一時保留部６７に一時的に保留された紙幣や硬貨を筐体１１外へ返却するようになっている。このことにより、操作者が貨幣の返却権限を有する場合のみにおいて、紙幣一時保留部４５や硬貨一時保留部６７に一時的に保留された紙幣や硬貨を筐体１１の外部に返却することができるようになる。このため、ある操作者が紙幣受入口１５や硬貨受入口１９により入金紙幣や入金硬貨を筐体１１内に受け入れ、この筐体１１内に受け入れられた紙幣や硬貨が紙幣一時保留部４５や硬貨一時保留部６７に一時的に保留された後に、貨幣の返却権限のない操作者により返却指示が行われ、この操作者が筐体１１外に返却された紙幣や硬貨を持ち去ってしまうことを防止することができる。
【００５０】
より具体的には、制御部８０は、上述のような認証処理を行う際に、返却指示を操作部８８に入力した操作者が、紙幣受入口１５や硬貨受入口１９により入金紙幣や入金硬貨を筐体１１の内部に受け入れさせた入金者であるか否かの確認を行い、返却指示を操作部８８に入力した操作者が入金者であることが確認された場合に、この操作者が貨幣の返却権限を有することを認証する。あるいは、制御部８０は、上述のような認証処理を行う際に、返却指示を操作部８８に入力した操作者が、貨幣入金処理装置１０の管理を行う管理者であるか否かの確認を行い、返却指示を操作部８８に入力した操作者が管理者であることが確認された場合に、この操作者が貨幣の返却権限を有することを認証する。このことにより、返却指示を操作部８８に入力した操作者が入金者や管理者ではない場合には、この操作者は紙幣一時保留部４５や硬貨一時保留部６７に一時的に保留された紙幣や硬貨とは関係のない者と考えられるため、紙幣や硬貨が筐体１１の外部から抜き取れるようになることはない。
【００５１】
なお、上述のような貨幣入金処理装置１０においては、制御部８０は、返却指示を操作部８８に入力した操作者が、管理者または入金者である場合に、操作者が貨幣の返却権限を有することを認証するようになっているが、他の例として、制御部８０は、返却指示を操作部８８に入力した操作者が管理者である場合にのみ、操作者が貨幣の返却権限を有することを認証するようになっていてもよい。この場合、操作者が入金者であっても貨幣の返却権限はないこととなる。あるいは、制御部８０は、返却指示を操作部８８に入力した操作者が入金者である場合にのみ、操作者が貨幣の返却権限を有することを認証するようになっていてもよい。この場合、操作者が管理者であっても貨幣の返却権限はないこととなる。なお、貨幣の返却権限を有する者の設定は、制御部８０において予め行うことができるようになっている。
【００５２】
また、本実施の形態の貨幣入金処理装置１０においては、操作部８８は、操作者が保持するＩＤカード（情報記録媒体）に記録された操作者の権限に係るＩＤ情報の読み取りを行うカードリーダ８６（読み取り機構）を有し、制御部８０は、カードリーダ８６により読み取られた操作者の権限に係るＩＤ情報に基づいて認証処理を行うようになっている（図５のＳＴＥＰ１６、ＳＴＥＰ１７参照）。
【００５３】
また、本実施の形態の貨幣入金処理装置１０においては、制御部８０において、認証処理を行うか否かを選択的に設定することができるようになっており、制御部８０は、認証処理を行うことが設定された場合のみにおいて（図５のＳＴＥＰ１５の「ＹＥＳ」参照）、返却指示を操作部８８に入力した操作者が貨幣の返却権限を有するか否かの認証処理を行うようになっている（図５のＳＴＥＰ１６、ＳＴＥＰ１７参照）。
【００５４】
なお、本実施の形態による貨幣入金処理装置１０は、上記の態様に限定されるものではなく、様々の変更を加えることができる。
【００５５】
例えば、操作部８８のカードリーダ８６は、操作者が携帯するＩＤカードを差し込んだままの状態で保持することができるようになっていてもよい。このような構成の貨幣入金処理装置１０においては、カードリーダ８６によりＩＤカードが保持されている状態のときに、制御部８０は、カードリーダ８６により読み取られた操作者の権限に係る情報に基づいて認証処理を行うこととなる。
【００５６】
また、制御部８０において、操作者が貨幣の返却権限を有するか否かの認証処理を行うことが設定されており（図５のＳＴＥＰ１５の「ＹＥＳ」参照）、かつ、返却指示を操作部８８に入力した操作者が貨幣の返却権限を有していない場合には、紙幣一時保留部４５や硬貨一時保留部６７に一時的に保留された紙幣や硬貨を収納部２５の紙幣収納カセット２６や硬貨収納カセット２７に自動的に収納することを選択的に設定することができるようになっていてもよい。このような変形例では、制御部８０は、紙幣一時保留部４５や硬貨一時保留部６７に一時的に保留された紙幣や硬貨を収納部２５の紙幣収納カセット２６や硬貨収納カセット２７に自動的に収納することが設定された場合のみにおいて、この一時的に保留された紙幣や硬貨を紙幣収納カセット２６や硬貨収納カセット２７に収納するよう紙幣処理部１２や硬貨処理部１３の各構成要素の制御を行うこととなる。
【００５７】
このような変形例に係る貨幣入金処理装置１０によれば、管理者等の貨幣の返却権限を有する者が貨幣入金処理装置１０のそばにいない場合には、次の入金処理ができるように、紙幣一時保留部４５や硬貨一時保留部６７に一時的に保留された紙幣や硬貨を自動的に収納処理するような設定を行うことができるようになる。
【００５８】
また、操作部８８に貨幣の返却指示が入力された際に、操作者が貨幣の返却権限を有するか否かの認証処理を行う方法としては、図５のＳＴＥＰ１６に示すような、操作者が携帯するＩＤカードをカードリーダ８６に通す方法に限定されることはない。他の方法としては、操作者がタッチパネル８２により操作者のＩＤコードと暗証番号を入力することにより、操作者が貨幣の返却権限を有することが認証されるようになっていてもよい。
【符号の説明】
【００５９】
１０  貨幣入金処理装置
１１  筐体
１２  紙幣処理部
１３  硬貨処理部
１５  紙幣受入口
１６  紙幣リジェクト口
１７  紙幣返却口
１９  硬貨受入口
２０  硬貨リジェクト口
２１  硬貨返却口
２５  収納部
２６  紙幣収納カセット
２７  硬貨収納カセット
４１  紙幣繰出部
４２  紙幣搬送部
４３  紙幣識別部
４４  紙幣リジェクト部
４５  紙幣一時保留部
４７  収納手段
４８  取込ローラ
４９  繰出ベルト
５０  逆転ローラ
６１  硬貨繰出部
６２  硬貨搬送部
６３  硬貨識別部
６４  リジェクトシュート
６５  リジェクト部
６６  一時保留シュート
６７  硬貨一時保留部
６８  返却箱
７０  繰出ベルト
７１  逆転ローラ
８０  制御部
８２  タッチパネル
８４ａ  スタートキー
８４ｂ  ストップキー
８４ｃ  確定キー
８４ｄ  取消キー
８６  カードリーダ
８８  操作部
９０  インターフェース
９２  プリンター
【図１】
2010272061.tif 000003
【図２】
2010272061.tif 000004
【図３】
2010272061.tif 000005
【図４】
2010272061.tif 000006
【図５】
2010272061.tif 000007
【図６】
2010272061.tif 000008
【図７】
2010272061.tif 000009